Podtech/llm-jp-corpus-v4-ja_patent huggingface dataset:
(57)【要約】      （修正有）【課題】お茶漬けとするごはんの様子がわかるように外から見て中身がわかるお茶漬けセットであり、ペットボトル入りなどのお茶を利用して、手間をかけずに食べられるお茶漬けセットを提供する。【解決手段】おにぎり同様の生食用のごはんを、手軽なお茶碗にセットして提供することで、ペットボトル、缶入りなどのお茶をかけるだけで手軽にお茶漬けを食べることができるお茶漬けセット。【選択図】図１
0003114558.tif 000002
【実用新案登録請求の範囲】
【請求項１】
茶碗のないところでも手軽にお茶を満たすことでお茶漬けをつくることができる、茶碗とそのカバー、炊飯済みの生食用ごはんとをあわせたお茶漬けセット。
【請求項２】
前記、茶碗は、透明または半透明なガラス、プラスチックあるいはペット樹脂、カバーにはフィルムを利用し、中身がみえることを特徴とする、お茶漬けセット。
【請求項３】
前記ごはんは、生食用のものを利用することとし、梅干、のり、鮭、野沢菜、うなぎ、たらこ、めんたいこ、たくわん、あられ、わさび、などをセットし、お茶をかけるだけで、お茶漬けとして食することができることを特徴とするお茶漬けセット用の生食用のごはん。
【考案の詳細な説明】
【技術分野】
【０００１】  この考案は、手軽に食べられるお茶漬けセットに関する。
【背景技術】
【０００２】  通常、お茶漬けを食べる際には、お茶碗にごはんをセットし、お茶或いはお湯をかけることによって食べることになる。【０００３】  小売業の店舗では、手軽に食べられる生食用のおにぎりが売られているが、お茶漬けにしようとした場合には、別途、お茶碗を用意する必要がある。【０００４】  また、レトルト食品のお茶漬けは、別途お湯を沸かしてからかけるなどの手間が必要である。
【考案の開示】
【考案が解決しようとする課題】
【０００５】  お茶漬けを食べたいと思う場合、現状ある商品では、お湯を沸かす、或いは、茶碗を用意する、など、手間をかける必要があった。【０００６】  そこで本考案では、ペットボトル入りなどのお茶を利用して、手間をかけずに食べられるお茶漬けのセットを提供することを課題とする。【０００７】  また、お茶漬けとするごはんの様子がわかるように、外からみて中身が分かるようにすることを課題とする。
【課題を解決するための手段】
【０００８】  本考案によるお茶漬けセットは、ペットボトル、缶入りなどで販売しているお茶を満たしても、こぼれることのないような台座を備えたお茶碗部分と、お茶をかけなくてもすぐに食べられる生食用のごはん部分を備えることを特徴とする。【０００９】  お茶碗部分、或いは、カバーの部分については、内容物であるごはん、或いはお茶漬けのおかずである、梅干、のり、鮭、野沢菜、うなぎ、たらこ、めんたいこ、わさび、たくわんなどの様子が外からもわかるように、透明、または半透明とすることを特徴とする。【００１０】  お茶碗部分に関しては、冬場には、電子レンジを利用して加熱し、かつ、あたたかいお茶を注ぐことにより、あたたかいお茶漬けを食することができるように、電子レンジを利用して加熱できる素材を利用してもよい。【００１１】  お茶漬けのおかずになる、のり、あられ、に関しては、フィルム状のパッケージを利用して、湿気を吸着することを避けるために分離してもよい。【００１２】  好みのわかれるわさびに関しては、フィルム状のパッケージを利用して、分離してもよい。【００１３】  また、お茶漬けにせずに、おにぎりとして食べることもできるように、大きいのりをセットしてもよい。
【考案を実施するための最良の形態】
【００１４】  この考案の一実施形態を図面を利用して説明する。【００１５】  図１は本考案を利用した、お茶漬けセットの概観を示している。
このセットは、お茶を満たしても、こぼれることのないようにしたお茶碗部１１０ならびに、それを支える台座部１２０、また、外部から直接中身が見れるようにしたカバー部分１３０と、生食用のごはんとのり１４０と、おかず１５０で構成されている。【００１６】  台座部分の下部は、軽量化のために、底が開いているが、お茶を注いでもこぼれないように広くとられている。【００１７】  お茶碗部１１０は、外から見たときに中身がわかるように、透明、または半透明になっている。
【図面の簡単な説明】
【００２７】
【図１】本考案が適用されたお茶漬けセットの概観図である。
【符号の説明】
【００２８】      １１０  お茶碗部分    １２０  お茶碗台座部    １３０  カバー部分
１４０  生食用のごはんとのり    １５０  お茶漬けのおかず
【図１】
0003114558.tif 000003
(57)【要約】【課題】本考案は、装飾品の内部に、供養に不可欠なお香及び遺骨又は遺灰又はペットの体の一部を収納し半永久的に保存し、いつでも故人又はペットへの思いを深め供養することができ、違和感なく身に付けることができ、またお守りとしても利用できる装飾品、例えばペンダント、ブレスレットを提供する。【解決手段】本体１の空洞部１ａに粉末又は細かく砕いたお香と遺骨又は遺灰又はペットの身体の一部を入れ半永久的保存のためエポキシ樹脂を流し込み、蓋をし接着、密閉する。故人への思いと供養を深めるため本体及び蓋に蓮の花、戒名又は家紋、ペットであれば、名前を刻む。【選択図】図２
0003114560.tif 000002
【実用新案登録請求の範囲】
【請求項１】
銀製又は金製又はプラチナ製の装飾品本体に空洞部を設け、お香及び遺骨又は遺灰又はペットの身体の一部を入れ、エポキシ樹脂を流し込み、蓋をし接着、密閉した身に付けて携帯可能なお香及び遺骨、遺灰等を密閉した装飾品。
【請求項２】
戒名又は家紋又はペットの名前を刻んだペンダント、ブレスレットである請求項１記載のお香及び遺骨、遺灰等を密閉した装飾品。
【考案の詳細な説明】
【技術分野】
【０００１】  本考案は、銀製又は金製又はプラチナ製の装飾品内部に、お香及び遺骨又は遺灰又はペットの身体の一部を収納し身に付けることが可能な装飾品に関するものである。
【背景技術】
【０００２】  従来、人やペットが亡くなった場合、火葬し遺骨、遺灰等は、寺院に納骨して墓地に埋葬し、お香を焚き供養するのが一般的であり、又遺骨、遺灰のみを携帯する装飾品では、供養には不完全と考えられる。
【考案の開示】
【考案が解決しようとする課題】
【０００３】  家族や自分自身にとって大切な人又はペットを、供養するためには、お香を持って寺院又は墓地まで出向かなければならず、常に故人を偲んで供養するのに不便である。【０００４】  また、故人等の供養に欠かせることができないお香を、常に用意しておかなければならない。【０００５】  よって、上述の様な不便さを本考案は解決しようとするものである。
【課題を解決するための手段】
【０００６】  供養に不可欠なお香と、遺骨又は遺灰又はペットの身体の一部を粉末又は細かく砕き装飾品に設けた空洞部に入れ、エポキシ樹脂を流し込み装飾品本体と同素材の蓋をし、接着、密閉する。【０００７】  また、故人又はペットに対する深い思いと供養を深めるために、装飾品本体又は蓋に、仏と意味合いの深い蓮の花及び、戒名又は家紋又はペットの名前をコンピューターに連動されたレーザーにより刻み込める装置により刻む。【０００８】  ここで装飾品とは、身に付けて携帯可能なペンダント、ブレスレットを意味し、装飾品の材質は、銀製又は金製又はプラチナ製が適切である。
【考案の効果】
【０００９】  お香及び遺骨、遺灰又はペットの身体の一部は、装飾品の内部に密閉されるため、一般的な装飾品と見え違和感なく常に身に付けることができ、いつでも故人又ペットをお参りし供養でき、思い出すことができ、また自分自身のお守りとしても利用でき、安らぎ、癒しを感じることができる。【００１０】  遺骨、遺灰等だけではなく供養に必要とされるお香を密閉するため、また蓮の花及び戒名又は家紋又はペットの名前を刻むことにより、より深い供養が出来る。【００１１】  上述の様に装飾品の内部に密閉する手段に、エポキシ樹脂を用い装飾品本体空洞部と蓋の形状を同じにすることにより接着、密閉するため酸化、変質等を防ぎ半永久的に保存可能であり、装飾品本体及び蓋も、上述の材質により酸化等による材質の変化がしにくくなり、また破損の場合も修理可能であり半永久的に利用でき代々受け継ぐことができる。
【考案を実施するための最良の形態】
【００１２】  お香及び遺骨又は遺灰又はペットの身体の一部を収納する装飾品はペンダント又はブレスレットにより、身に付けておくことが可能なアクセサリーとし、材質は酸化等による半永久的に変化のしにくい銀製又は金製又はプラチナ製とする。【００１３】  お香及び遺骨等の収納の手段として、半永久的保存のためエポキシ樹脂により固めて、接着、密閉するため本体の空洞部と蓋は、同じ形状とする。
【実施例１】
【００１４】  以下、添付図面に従って実施例を説明する。図１，２，３，は、本体の装飾品のペンダントの実施例で、本体１の空洞部１ａに粉末又は細かく砕いたお香と遺骨又は遺灰又を入れエポキシ樹脂を流し込み、蓮の花を刻んだ空洞部１ａと同じ形状の蓋２を接着、密閉する。【００１５】  図３は、本体の裏面図で、戒名を刻んだ実施例である。
【実施例２】
【００１６】  図４，５，６は、本考案である装飾品のブレスレットの実施例で、本体５の空洞部５ａに粉末又は細かく砕いたお香とペットの身体の一部をいれエポキシ樹脂を流し込み蓮の花を刻んだ空洞部５ａと同じ形状の蓋６を接着し密閉する。【００１７】  図６は、本体裏面図でペットの名前を刻んだ実施例である。
【図面の簡単な説明】
【００１８】
【図１】本考案の実施例であるペンダントの正面図である。
【図２】ペンダントの本体と蓋の斜視図である。
【図３】戒名を刻んだ実施例の本体の裏面図である。
【図４】本校案の実施例であるブレスレットの正面図である。
【図５】ブレスレットの本体と蓋の斜視図である。
【図６】ペットの名前を刻んだ実施例の本体の裏面図である。
【符号の説明】
【００１９】  １          ペンダント本体
１ａ        空洞部
２          蓋
３          チェーンを通すリング
４          チェーン
５          ブレスレット本体
５ａ        空洞部
６          蓋
７          チェーンを通すリング
８          チェーン
【図１】
0003114560.tif 000003
【図２】
0003114560.tif 000004
【図３】
0003114560.tif 000005
【図４】
0003114560.tif 000006
【図５】
0003114560.tif 000007
【図６】
0003114560.tif 000008
(57)【要約】      （修正有）【課題】歩く事が特に必要な中・高年の人が気軽に楽しく歩ける様にする。【解決手段】着脱自在なベルト１に平ゴム３の上端部を通し、下端部ははきもの２に着脱自在に接続する事により足を軽く歩きやすくした。【選択図】図１
0003114556.tif 000002
【実用新案登録請求の範囲】
【請求項１】
腰に着脱自在のベルトに平ゴムの上端部を通して、平ゴムの長さを調節可能出来るようにし、平ゴムの下端部は、はきものに着脱自在に接続すると共にこの平ゴムの長さを、ベルトの位置から直立状態におけるはきものまでの人体上の距離よりも短くした事を、特徴とする、歩行用補助具。
【考案の詳細な説明】
【技術分野】
【０００１】本考案は腰のベルトから、はきものまでを、伸縮性のあるゴムで、接続する事により歩行を楽にする。
〔背景分野〕【０００２】寿命が延びている割に健康は必ずしも並行しておらず歩く事が大切とわかっていても疲れなどを考えると億劫になる。
〔考案が解決しようとする課題〕【０００３】中、高年になると疲れなどを考えて、どうしても家の中にとじこもりがちになるので歩く事が楽になる事で積極的に外に出られるようにする。
〔課題を解決する為の手段〕【０００４】腰に着脱自在なベルトに上端部を調節可能に取り付けた平ゴムの下端部をはきものに着脱自在に接続し歩きやすくしたもので不要の時は取り外しも出来る。
〔考案を実施するための最良の形態〕【０００５】腰に着脱自在に装着したベルト１の４個所に孔６を設け、この孔６に平ゴム３の上端部を通す。
通した後、平ゴム３を下方に引っ張って、平ゴム３の上端部に設けたボタンホール７を平ゴム３の上方部分に取付けた複数個のボタン４のいずれかに止める。
図１の左側を止めた状態示し、右側を止めるまえの状態を示す。【０００６】平ゴム３の下端部にボタンホール８を設けこのボタンホール８をはきもの２の両側部につけたボタン５に着脱自在にとめる。【０００７】この歩行補助具の使用方法を説明する。
腰にベルト１を付け固定して次にはきもの２をはきベルト１とはきもの２を繋ぐ平ゴム３を整えて上端部の平ゴムを引っ張り自分の長さにあった所のボタン４に固定する。
【図面の簡単な説明】
【０００８】〔図１〕本考案の歩行補助具の全体図
〔図２〕平ゴムとはきものとの接続部分の斜視図
【符号の説明】
【０００９】１、ベルト
２、はきもの
３、平ゴム
４、５、ボタン
６、平ゴムを通す孔
７、８、ボタンホール
【図１】
0003114556.tif 000003
【図２】
0003114556.tif 000004
(57)【要約】      （修正有）【課題】老若男女でも容易に組立てができ、任意の箇所に１８０度開閉自在な扉を設けるとともに、大小自在な空間を形成できる災害避難所用多目的パーテーション。【解決手段】段ボール１は、横１．２ｍ、縦１ｍの略長方形状をしており、横０．６ｍの箇所に折り曲げが容易なプレス痕３及び一辺に９０度自在に折り曲げ可能な縁部２と、設置床上に固定するための両面テープ（図示なし）を貼り付け形成されている。また、段ボール１には避難所名、区画番号、住所、連絡先、氏名、年齢、血液型など災害者情報を記入できる印刷面４を、夏期の場合に使用される通気口４ａを設けている。【選択図】図４
0003114552.tif 000002
【実用新案登録請求の範囲】
【請求項１】
略長方形状の段ボールを複数枚組み合せ２以上の空間を形成し、任意の箇所に開閉自在な扉を設けてなる災害避難所用多目的パーテーション。
【請求項２】
請求項１記載の段ボールの一辺に９０度折り曲げ可能な縁部に両面テープを設けるとともに、災害者情報が記入可能な印刷面及び通気口を設けてなる災害避難所用多目的パーテーション。
【考案の詳細な説明】
【技術分野】
【０００１】  本考案は、災害避難所等に使用される多目的パーテーションに関するものである。
【背景技術】
【０００２】  従来のパーテーションの利用分野としては、事務所や倉庫などにおいてお互いの目線に触れないように四方を囲んだり、物品の整理保管の為に各々を独立した空間として使用していた。また、材質はアルミ、スチール及びプラスチック等で製作されており、未使用時には各部品を分解して保管をしていたが、材質自体がある程度の重量があり非力なお年寄りや女性が容易に組立て、分解などが出来ず災害避難所等の利用には無理を生じていた。【０００３】  また、分解保管する場合には、各々の部材がかさ張る為に保管場所を広く確保しなければならず、緊急時に使用される災害避難所等に保管する場合には数量が限られてしまうなどの問題を有していた。
【特許文献１】特開２００３−８２７９６号公報
【考案の開示】
【課題を解決するための手段】
【０００４】  上述の各問題点を解消するために、本考案の災害避難所用多目的パーテーションは材質を略長方形状の段ボールとし１辺を９０度自在に折り曲げ可能な縁部とこの縁部に両面テープを設け、複数枚の段ボールを組み合せることにより２以上の空間を容易に形成でき、前記形成された各壁の一部に任意の扉を設けるとともに、災害者情報を記入可能な印刷面を設けた災害避難所用多目的パーテーションを提供することを目的とする。
【考案の効果】
【０００５】  本考案による災害避難所用多目的パーテーションは、段ボールという材質から非常に軽量で老若男女問わず簡単に組み立てが可能であり、組み合せ次第で大小の空間を容易に形成可能であるとともに、扉を設けたことにより２つ以上の空間を自由に行き来が可能となる効果を奏する。【０００６】  また、各段ボールの四辺の角はプレス痕を折り曲げることにより強化するとともに、各段ボールを両面テープ及びクラフトテープ等により貼り合わせことにより隙間ができず、貼り付け部が強度を増し骨部となる効果を奏する。【０００７】  また、段ボール面に避難所名、区画番号、住所、連絡先、氏名、年齢、血液型など災害者情報を記入できる印刷面を設けたことにより、災害者の情報を容易に管理集計が可能となる効果を奏する。【０００８】  また、材質が段ボールで形成されているため、使用後は古紙段ボールとしてリサイクルが可能であるとともに、予め保管する場合にも積み重ねが可能なため保管スペースに場所をとらない等の効果を奏する。
【考案を実施するための最良の形態】
【０００９】  以下、図面を参照して本考案による災害避難所用多目的パーテーションを詳細に説明する。図１においては、本考案の段ボール１を開いた状態の正面図であり、図２はコーナー部に使用した略長方形状の段ボール１（以下、段ボールと言う）の斜視図、図３は図１の斜視図、図４は段ボール１を複数枚組み合わせ４つの空間を形成した一実施例，図５は図４で使用する使用枚数の説明図である。【００１０】  本考案の段ボール１は、第１図に示すように横１．２ｍ、縦１ｍの略長方形状をしており、横０．６ｍの箇所に折り曲げが容易なプレス痕３及び一辺に９０度自在に折り曲げ可能な縁部２と、設置床上に固定するための両面テープ（図示なし）を貼り付け形成されている。また、段ボール１には避難所名、区画番号、住所、連絡先、氏名、年齢、血液型など災害者情報を記入できる印刷面４を、夏期の場合に使用される通気口４ａを設けている。【００１０】  次に、本考案の災害避難所用多目的パーテーションの使用について説明する。第２図の段ボール１は任意の箇所に自在に形成可能な壁部５及び扉６（第４図）となり、１辺に設けた縁部２はプレス痕３を基点に切断され９０度、−９０度に折り曲げ可能であり、設置時には交互に折り曲げ設置床上に両面テープで貼りつけ固定する。【００１１】  第２図の段ボール１はコーナー部７（第４図）を形成するために、段ボール１のプレス痕３を９０度折り曲げ両面テープで設置床に貼りつけ固定する。【００１２】  第４図は、本考案の段ボール１を２７枚使用して４つの空間８を形成した災害避難所用多目的パーテーションの一実施例であり、１空間を形成するにはコーナー部７を４枚、壁５を４枚使用するが、そのうち３枚はプレス痕３を基点に１８０度開閉する扉６として使用したものである。また、壁５及び扉６は任意に災害者が決定することが可能である。【００１３】  第５図は、第４図による４つの空間８を形成した場合の段ボール１の使用枚数を示す図であるが、図中８ａは前述の通り８枚を使用して空間８を形成しているが、８ｂ及び８ｃは７枚、８ｄは６枚をそれぞれ両面テープ及びクラフトテープ等により貼り合わせ、組み合せすることにより、隣り合わせとなる箇所はより強固となるパーテーションとなるとともに、組み合わせの枚数により大小任意な空間を形成可能となるものである。
【図面の簡単な説明】
【図１】 
【図２】 
【図３】 
【図４】 
【図５】 
【符号の説明】
【００１４】１    段ボール
２    縁部
３    プレス痕
４    印刷面
４ａ  通気口
５    壁
６    扉
７    コーナー部
８    空間
【図１】
0003114552.tif 000003
【図２】
0003114552.tif 000004
【図３】
0003114552.tif 000005
【図４】
0003114552.tif 000006
【図５】
0003114552.tif 000007
(57)【要約】【課題】残量が少なくなっても常時糊出口から液状のりがスムースに出て糊付け作業が快適に行われ、つかみ易くて取り扱い便利な液状のり容器を提供する。【解決手段】本体の中間に膨腹部を形成し、該膨腹部の両側より両端部に向かって対称的にテーパ状筒部を形成する。各筒部の先端に糊出口を取り付け、本体の両端外側に蓋体を被着し、本体内部に液状のりを充填する。【選択図】          図１
0003114555.tif 000002
【実用新案登録請求の範囲】
【請求項１】
本体の中間に膨腹部を形成し、該膨腹部の両側より両端部に向かって対称的にテーパ状筒部を形成し、各筒部の先端に糊出口を取り付け、本体の両端外側に蓋体を被着し、本体内部に液状のりを充填してなる液状のり容器。
【請求項２】
蓋体の端面を平坦状とすることを特徴とする請求項１記載の液状のり容器。
【請求項３】
膨腹部に平坦部を形成することを特徴とする請求項１又は２記載の液状のり容器。
【考案の詳細な説明】
【技術分野】
【０００１】  本考案は、取り扱いに便利な液状のり容器に関する。
【背景技術】
【０００２】  液状のりの残量が少なくなると排出に時間がかゝることは誰でもが経験するところであり、この問題を解決することを目的としたのり容器も若干ながら見いだすことができる（例えば特許文献１参照）。
【特許文献１】  実開平７−２２５５号公報参照
【考案の開示】
【考案が解決しようとする課題】
【０００３】  特許文献１に記載された技術は、図３に示すように、のり容器１０の出口近くにのりの溜まるポケット１１を設け、糊付け作業をして容器を立てた時、そのポケットに液状のり１２を溜めて次に上下を逆さにして使用する時、ポケット１１に溜めてある液状のり１２が瞬時に出る、というものである。【０００４】  上記したのり容器によると、容器１０の底に沈んだ液状のり１３とは別にポケット１１内に液状のり１２を溜めるとしているが、ポケット１１内に十分な液状のりが溜まるとは考えがたく、また小さなポケット１１内の容量小な液状のりを瞬時に排出できるとすることも合理性に欠け、更に容器１０の内面に図示のようなポケット１１を形成すること自体成型が面倒でコスト高になるおそれと、容器１０の底に沈んだのり１３の残量が少なくなった場合には当然ながら容器を逆さにしないと液状のりがスムースに排出されることはなく、しかも容器そのものは従来品と異ならない旧態依然の無味乾燥な外観を呈するといった問題がある。【０００５】  本考案はこのような従来の問題点を解消することを目的としたもので、液状のりが絶えず出口の近傍に滲出していつでも糊付け作業を快適に行うことができるとともに構造簡単なため製作が容易であり、また通常ののり容器とは異なって頗るつかみ易く、特異な外観を呈して体裁佳良な、液状のり容器を提供することを意図している。
【課題を解決するための手段】
【０００６】  すなわち本考案は、請求項１記載のように本体の中間に膨腹部を形成し、該膨腹部の両側より両端部に向かって対称的にテーパ状筒部を形成し、各筒部の先端に糊出口を取り付け、本体の両端外側に蓋体を被着し、本体内部に液状のりを充填することを主旨とする。【０００７】  また請求項２記載のように前記蓋体の端面を平坦状とすることを特徴とする。【０００８】  更に請求項３記載のように前記膨腹部に平坦部を形成することを特徴とする。
【考案の効果】
【０００９】  本考案の容器本体には中間に膨腹部が存在し、この膨腹部の両側にテーパ状の筒部が対称的に形成されているため、蓋体を取り外せば液状のりは左右いずれの側からも糊出口が現われて開口に手間取ることがなく、また上記膨腹部が手のひら内に程よく納まって持ちやすいため、糊付け作業を快適に行うことができる。【００１０】  蓋体の端面を平坦状にすると、左右いずれの側を下にしても容器は直立し、その際本体中間にある膨腹部によってバランスが保たれるためいたずらに転倒するおそれがなく、下側となった糊出口には液状のりが自然に滲出するので蓋体を取外すと遅滞なく糊付け作業ができる。【００１１】  膨腹部が中間に存在することで従来ののり容器とは一線を画する特異な外観を呈して購入者の興趣感を満足させることができ、また膨腹部に平坦部を形成すると容器を横に置いても転動するおそれがなく一層安定した状態となる。
【考案を実施するための最良の形態】
【００１２】  図面を参照して本考案を説明すると、図１において容器本体１は中間に周面を円弧状に膨出した膨腹部２を形成している。そして膨腹部２の両側より端部に向かって対称的にテーパ状の筒部３を形成したもので、両筒部３の先端に糊出口４を取り付けている。【００１３】  ５は本体１の両端外側に被着した蓋体で、該蓋体５を取り外せば従来品と同様に糊出口４が現われる。６は本体１の内部に充填した液状のりで、左右の糊出口４がこの液状のり６で常時湿潤している。【００１４】  また本考案の特徴として蓋体５の両側とも端面を平坦状とすることである。こうすることによって図２（ａ）に示すように、蓋体５を下向きにするとテーブル７上に容器を直立させることができ、本体１内の液状のり６の残量が少なくなっても下向きとなった側に液状のり６は絶えず溜まるので糊出口４が乾燥することはなく、いずれかが下向きとなることによって残量の多少にかゝわらず両側の糊出口４は湿潤状態が維持されるため糊付け作業に支障を生じない。しかして本体１の中間に形成してある膨腹部２がつかみやすいので糊付け作業に一層都合が良い。【００１５】  上記膨腹部２は、図２（ｂ）のように、相対する側に平坦部２ａを形成すると効果的となる。こうすることにより片方の平坦部２ａはテーブル７の上面に密接するので容器がいたずらに転動したり傾くことがない。平坦部２ａは何か所に設けてもよく、更には膨腹部２を多角形状にしたり、凹凸をつけて同一効果を得られるようにすることもできる。
【図面の簡単な説明】
【００１６】
【図１】一部を切断した本案容器の外観図である。
【図２】（ａ）はテーブルに直立させた状態、（ｂ）はテーブルに横置した本考案の説明図である。
【図３】従来ののり容器を示す説明図である。
【符号の説明】
【００１７】  １    本体
２    膨腹部
２ａ  平坦部
３    筒部
４    糊出口
５    蓋体
６    液状のり
【図１】
0003114555.tif 000003
【図２】
0003114555.tif 000004
【図３】
0003114555.tif 000005
(57)【要約】      （修正有）【課題】接着はがきを簡便に製作し、接着はがきを手でもって開く時に、はがきの張り合わせ面が表面剥離や破断し難く、剥離・破断がはがき印刷中央部位が損なわれずに、簡便に開く。【解決手段】張り合わせるはがき紙面本体４の周辺部に、ドット状に接着剤３（ＰＶＡ等）を塗布する。ドットの大きさや形状、またドットの間隔は、接着剤の能力、紙の材質によって変わってくるが、適切な一実施形態として、２〜６ｍｍの円形の接着剤（ＰＶＡ）を１０〜２０ｍｍの間隔に塗布したものとする。ドットの個数は、張り合わせるはがき紙面が自然に開いてしまわず、人が強いて開こうとしてのみに開ける程の、充分に接着する個数を塗布する。またドット状の接着剤として、水に対して可逆的な、あるいは、熱に対して可逆的な接着剤を用いる。【選択図】図１
0003114513.tif 000002
【実用新案登録請求の範囲】
【請求項１】
二つ折り、三つ折、クロス折で出来る、はがきの張り合わせ面の周辺部に、連続ではなく、ドット状に接着剤を塗布することを特徴とする接着はがき。（ここで表記のドット状に接着剤を塗布するとは、はがきの張り合わせ面の周辺部、はがきの張り合わせ面の端から２０ｍｍ以内の余白領域に、長径が１〜１０ｍｍの領域を有する接着剤部分が１〜３０ｍｍの間隔で塗布されていることを云う）
【請求項２】
前記ドット状に塗布する接着剤として、水や熱に対して可逆的に接着力を獲得する接着剤を使用することを特徴とする接着はがき。
【考案の詳細な説明】
【技術分野】
【０００１】  この考案は、接着はがきについて、はがきの張り合わせ面の接着剤の塗布領域の位置・塗布領域の形状・塗布間隔に関するものである。
【特許文献１】特許公開平１１−１７０７４０
【背景技術】
【０００２】  従来の接着はがきは、図２に示すように、はがきの張り合わせ面２の周辺領域１に接着剤の塗布が連続してなされていた。
【考案の開示】
【考案が解決しようとする課題】
【０００３】  しかしながら、以上の技術によれば、接着はがきを手でもって開く時、はがきの張り合わせ面が連続して糊付けされているため、はがき紙面の表面剥離や破断を起こし、剥離・破断がはがき印刷中央部位までおよび情報内容が損なわれた。それ故、中央部破損をさけるため、接着はがきを手でもって開く場合を想定して、周辺にミシン目を付ける工程を加えたり、また鋏による切断を求め、はがき受取人に余計な作業を強いていることが多い。そこで、この考案は、接着はがきを簡便に作成し、印刷中央部位が損なわれずに、接着はがきを手でもって簡便に開くことを課題とする。
【課題を解決するための手段】
【０００４】  以上の課題を解決するために、この考案は、はがきの張り合わせ面の周辺部に、ドット状に接着剤を塗布することを特徴とする接着はがきである。ここで表記のドット状に接着剤を塗布するとは、はがきの張り合わせ面の周辺部、はがきの端から２０ｍｍ以内の余白面に、長径が１ｍｍ〜１０ｍｍの領域を有する接着部分が１ｍｍ〜３０ｍｍの間隔で塗布されていることを云う。
【考案の効果】
【０００５】  この考案によれば、ドット接着はがきは、はがきの張り合わせ面の周辺部一面の連続糊付け接着より、手でもって開く時の力を少なくし、表面剥離や破断、剥離・破断がはがき印刷中央部位まで及ぶのを少なくする。この考案によれば、手でもって開く場合を想定して、周辺にミシン目を付ける工程を加わえたり、鋏による切断を求め、はがき受取人に余計な作業を強いることがない。この考案によれば、接着はがきを作成するのに費用が少なく、簡便に製作できる。またこの考案によれば、ドット状接着剤として水や熱に対して可逆的に接着力を獲得する接着剤を使用した場合、接着剤が乾燥した後でも、加水・加熱すれば、接着力を獲得し、いつでも、どこでも必要な時にはがき面を張り合わせることができる。
【考案を実施するための最良の形態】
【０００６】  この考案の一実施形態を、図１に示す。
接着はがきの本体４は紙製であり、このはがき本体４の周辺部には、ドット状にＰＶＡ（ポリビニルアルコール）・酢酸ビニル等の接着剤が塗布されている。ドットの大きさや形状、またドットの間隔は、接着剤の能力、紙の材質によって変わってくるが、一実施形態として、２〜６ｍｍの円形の接着剤（ＰＶＡ等）を１０〜２０ｍｍの間隔に塗布したものを図１に示している。
【実施形態の効果】
【０００７】  この実施形態によれば、手でもってドット接着はがきを開くとき、ドット接着はがきの角から接着面の一つ一つの小さな円状の接着部を開いて行くため、開くのに大きな力はいらず、また力が分散するので、表面剥離や破断が起こり難い、そして剥離・破断がはがき印刷中央部位まで及び難い。
また図３に示すように、ドット状の接着剤としてＰＶＡや酢酸ビニル等の水に可逆的な接着剤を使用するば、接着剤が乾燥しきった後でも、水を含んだスポンジ６等で、ドット状の接着剤部分を７のように湿らして行くと粘着力が回復し、はがき面を張り合わせることができる。ドット接着はがきは大量生産することができ、いつでも、どこでも必要な時に消費者はドット接着はがきを購入して、使用することができる。
【他の実施形態】
【０００８】  図３の実施形態では、加水を使用して接着力を回復させているが、他の実施形態として、図４に示すように、加熱して接着力を回復させる接着剤を用いたものでも良い。はがき本体８を閉じた後、アイロン等の加熱体９で１０のようにドット状の接着剤が塗布されているところを加熱して接着力を回復させ接着させている。
【産業上の利用可能性】
【０００９】  ドット接着はがきは、インクジェットプリンター用の用紙として使用できるので、ドット接着はがきに出力できる会計ソフトを用いれば、専用フォーム用紙や穴あき封筒を用いなくても、ドット接着はがきを納品書・請求書としても利用できる。少数ロットの納品書・請求書発行業務である中小企業にとって、事務費・通信費の経費節減ができる。また企業・団体・個人・一般消費者は、パソコン・ワープロ文書用紙としてドット接着はがきを用いれば、簡便に、安価にセキュリティ保護はがき、隠蔽はがきを作ることができる。
【図面の簡単な説明】
【００１０】
【図１】この考案の一実施形態を示す斜視図である。
【図２】従来技術を示す斜視図である。
【図３】この考案の他の実施形態を示す斜視図である。
【図４】この考案の他の実施形態を示す斜視図である。
【符号の説明】
【００１１】１  はがき周辺部に接着剤が連続して塗布されている
２  はがき本体（印字面中央部）
３  はがき周辺部にドット状に塗布された接着剤
４  はがき本体（印字面中央部）
５  はがき本体（印字面中央部）
６  水を含んだスポンジ
７  ドット状の接着剤部分
８  ドット状の接着剤部分にスポンジで湿らす
９  閉じたはがき本体
１０  アイロン等の加熱体
１１  ドット状の接着剤部分にアイロン等の加熱体で熱を加える
【図１】
0003114513.tif 000003
【図２】
0003114513.tif 000004
【図３】
0003114513.tif 000005
【図４】
0003114513.tif 000006
(57)【要約】【課題】歯科用咬合器の動きに関するもので、歯牙の模型を固定してクラウン・ブリッジなどを製作する際、下顎フレームを前方運動させたときに矢状クリステンゼン現象を消失させない運動をするようにした自由運動咬合器を提供するものである。【解決手段】上顎フレームと下顎フレームを回転運動自在に設け、下弓の中間点にバネを有する自由運動咬合器を提供する。下顎フレームの支柱部でアングルをつくり、支柱間にバネを施した。上弓が後方へ移動する、いわゆる口腔内での前方運動の際、矢状クリステンゼン現象が消失しない。【選択図】図１
0003114512.tif 000002
【実用新案登録請求の範囲】
【請求項１】
現在市販されている自由運動咬合器（商品名：南加大咬合器等）の支柱部に角度を付与することによって、下顎前方運動を行った際、口腔内と類似な矢状クリステンゼン現象が再現できる咬合器。
【考案の詳細な説明】
【技術分野】
【０００１】  本考案は、咬合器の運動経路に関する。
【背景技術】
【０００２】  従来の自由運動咬合器（南加大咬合器等）では、前方運動を再現する際に本来口腔内で起こるクリステンゼン現象が起こらず、不必要なありえない接触滑走が起こってしまい、口腔内と同様の接触滑走が再現できなかった。
【考案の開示】
【考案が解決しようとする課題】
【０００３】  しかし、これでは自由運動咬合器の利点を生かし、残存歯を参考に補綴物を製作しようと思っても、本来の動きが再現できず補綴物製作に支障をきたす。
【課題を解決するための手順】
【０００４】  そこで、下顎フレームの柱部に４５度前後の角度を設けることを考案した。この構造により、口腔内における前方運動を再現しようとしたとき、クリステンゼン現象が起こり、不必要な接触が発生しないのである。
【考案の効果】
【０００５】  よって、本考案の支柱傾斜型自由運動咬合器により、模型上で口腔内と同様の前方運動を再現しようとしたときに、クリステンゼン現象が生じ、不必要な接触も発生せず、理想的な咬合接触滑走が可能となる。
【考案を実施するための最良の形態】
【０００６】  本考案に係る支柱傾斜型自由運動咬合器は、図１に示すように、支柱部がＸ軸に対し４５度前後に傾斜し、この傾斜する支柱の間にバネを設け、支柱上端に回転運動可能な上額フレームを取り付け可能な穴がある。上顎フレームの両端は、下顎フレーム上端の取り付け穴に嵌り着脱可能にする。素材は剛性のあるスチールで形成することが望ましい。
また、Ｂ点がＣ点の方向に動くとき、上顎フレームが上昇するＸ軸に対しての傾斜角度βは、口腔内における矢状クリステンゼン現象の平均値角度に近い、３０度〜２０度で推移することが望ましい。
【図面の簡単な説明】
【０００７】
【図１】  本考案に係る支柱傾斜型自由運動咬合器の側面図である。
【図２】  従来の自由運動咬合器（商品名：南加大咬合器）である。
【符号の説明】
【０００８】  Ａ      下顎フレームの前方運動の軸点
Ｂ      上下フレーム連結部
Ｂ−Ｄ  連結部の可動経路
【図１】
0003114512.tif 000003
【図２】
0003114512.tif 000004
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
支柱部にスプリングを有する自由運動咬合器の支柱に角度を付与することによって、下顎前方運動を行った際、口腔内と類似な矢状クリステンゼン現象が再現できる。
(57)【要約】【課題】掲示物を押しピン、接着剤付テープ、マグネットコマ等の補助材を使うことなく、又、損傷・汚損することなく安定固定すること。【解決手段】掲示物自体が持つ反発力・復元性に着目し、かつ、その性質をとらまえ活用するための特別な溝、即ち、掲示物の安定固定を確実にするサクリ形状を考案し、ボード上にそれを施した。【選択図】  図３
0003114516.tif 000002
【実用新案登録請求の範囲】
【請求項１】
掲示物自体が持つ反発力・復元性を利用し、安定固定させるために考案された特別の溝とそれが施されたボード。
【請求項２】
掲示物は溝間隔に適するサイズに加工されたもので、補助材なく着脱自在としたところを特徴とするワンタッチ  カード  ディスプレイボード。
【考案の詳細な説明】
【技術分野】
【０００１】本考案は掲示物を補助材なしで掲示及び飾り付けることが可能な特別な溝を有するボードに関するものである。
【背景技術】
【０００２】コルクボード、額縁、掲示板用クロス貼掲示板、マグネット板等、何らかの補助材によって掲示物を固定するものは既に在る。
【考案の開示】
【考案が解決しようとする課題】
【０００３】一般に多種ある額縁、掲示板では飾ること又掲示する手順が多すぎることに不便さを感じる。掲示物を固定して飾り付けるには何らかの補助材（押しピン、接着剤付テープ、額縁の押さえガラス、マグネット板でのマグネットコマ、等）が必要とされる上、掲示物を損傷、汚損することが多い。
【課題を解決するための手段】
【０００４】掲示物自体の反発力・復元性を利用し、押しピン、接着剤付テープ、マグネットコマ等の補助材なしで掲示物を固定するための特別な溝（図面参照）を考案し、ボード上に施した。
この溝の形状が掲示対象物の安定固定を確実なものとする。
【考案の効果】
【０００５】本考案のボードが固定状態にあれば、補助材なしで健常者はもちろん、不自由な人も片手で掲示物を着脱できる。
【考案を実施するための最良の形態】
【０００６】郵便局、印刷所でのハガキ見本展示を筆頭に事業所、一般家庭、官公庁お知らせスペース、諸芸術家及びカルチャースクール生徒等の展覧会案内連絡ハガキ、写真、名刺等の掲示に利便性が発揮される。
【実施例】  以下、添付図面に従って、実施例を説明する。
１は、木製板等適宜素材による本体。２は、掲示物（３）を固定させるための特別な溝の上下組で本体上に何組も施すことができる。又、４は、掲示物の安定した状態を保つためのサクリ勾配を示す。この特別な溝が補助材不要でのカードディスプレイを可能とする。本考案のボードに施す特別な溝とは掲示物のタテ・ヨコ寸法からその掲示物の固有の反発力・復元性に見合ったマイナス寸法を割り出し、上下溝の間隔を決定したものであり、ボードのサイズは自在で、その中に掲示物対象サイズの上下溝を組合せ、施している。
【図面の簡単な説明】
【０００７】
【図１】  本考案のボードの正面図である。
【図２】  本考案の特別な溝の各種掲示物に対する上下溝の関係を示す断面図である。
【図３】  掲示物の安定固定を確実にする特別な溝のサクリ形状を示す断面詳細図である。
【符号の説明】
【０００８】  １．ワンタッチ  カード  ディスプレイボード本体
２．特別な溝、上下組
３．掲示物（カード）
４．掲示物を安定させるサクリ形状及び勾配
【図１】
0003114516.tif 000003
【図２】
0003114516.tif 000004
【図３】
0003114516.tif 000005
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
掲示物自体が持つ反発力・復元性を利用し、補助材不要での着脱自在かつ安定固定を可能とせしめるために考案された特別の溝が設けられたボード。
(57)【要約】      （修正有）【課題】箸使用の不得手な外国人にも容易に割箸及箸が使えるように、ワンタッチで付設自在なクリップを提供する。【解決手段】２本に分離された棒を，一対の食器として使用可能なように回転軸を応用して，食べ物を掴む事が容易なように，箸に取付簡単な補助クリップである。１はクリップ、２ａ，２ｂはグリップ、３ａ，３ｂは係合突子、４ａ，４ｂは箸棒である。【選択図】図３
0003114518.tif 000002
【実用新案登録請求の範囲】
【請求項１】
箸及割箸の握り部付近に、一対の箸を並列着脱自在に押込み固定し得るように、それぞれ補助クリップに付設したグリップと回転軸とで開閉が容易なように手助けして成る箸開閉補助クリップ。
【考案の詳細な説明】
技術分野
本考案は一対の箸及割箸に開閉が容易なように取付ける補助クリップに関するものである。
背景技術
従来の考案事項は既存箸を主題に対策された物が多く、今回の考案事項は割箸を主題に提案している。
考案の開始
考案が解決しようとする課題
近来諸外国において日本食再認識され、日本食料理の店舗が数多く出現している。箸を使う食文化の無い諸外国の人には箸の扱い方の不得手な人が一般的である。
課題を解決するための手段
箸使用の不得手な外国人にも容易に割箸及箸が使えるように、ワンタッチで付設自在なクリップを提供しようとするものである。
考案の効果
上記構造の本考案は、ワンタッチで付設するものである。
一般に箸使用の不得手な外国人にも簡単容易に使用できる、優れた効果が期待できるものである。昨今スロ−フードが提案される現在において、日本の食文化が諸外国の人に再認識できれば。
考案を実施するための最良の形態
本考案を図により説明すると１は補助クリップ全体を示し、２ａ、２ｂ、はグリップである。開閉自在の機構はグリップ、２ａ、２ｂ、連続部にそれぞれ突設した係合突子、３ａ、３ｂ、を回転自在に軸着したもので、グリップ、２ａ、２ｂ、に一体に成形加工したものである。グリップ、２ａ、２ｂ、に割箸及箸棒、４ａ、４ｂ、をそれぞれ横方向より押し込んで固定する。
グリップ、２、の形状は角形もしくは丸形割箸及箸何れにも適合するようにする。クリップ、１、は半硬質合成樹脂を使用してプレス整形加工したものが好ましい。単独部品として使い捨て使用を思考とし、再利用も可能。
【図面の簡単な説明】図１
Ａは、係合突子を回転自在に軸着した角箸用の本考案クリップの斜視図、
Ｂは、丸箸用の本考案クリップを示した斜視図。
図２
Ａは、角箸用クリップを縦方向より切断を示した断面図。
Ｂは、丸箸用クリップを縦方向より切断を示した断面図。
図３
角割箸に角割箸用クリップを取り付けを示した側面図。
符号の説明
１・・・・・・クリップ  ２ａ，２ｂ・・・・・・グリップ  ３ａ，３ｂ・・・・・・係合突子  ４ａ，４ｂ・・・・・・箸棒
【図１】
0003114518.tif 000003
【図２】
0003114518.tif 000004
【図３】
0003114518.tif 000005
(57)【要約】      （修正有）【課題】水分検出器の検出部分を検出箇所に位置するについて、僅かな水分では検出しないようにし、水分検出部に供するセンサ−を容易に着脱できるようにする。【解決手段】粘着テ−プに吸水性物質２を張っておき、これに水分検出センサ−３を挿入しセンサ−の電線４と共に水分検出箇所に張り付けるようにする。【選択図】図１
0003114517.tif 000002
【実用新案登録請求の範囲】
【請求項１】
主として人体に接し水分を検出する検出器の水分検出センサ−３が、検出箇所の人体の汗などの微小な水分を検出しないように水分検出センサ−３に吸水性の物質２を取り付けた状態で、粘着斉６を塗布した柔軟性のある薄板６に検出センサ−電線４と共に張り付け、容易に測定箇所に位置できるようにした水分検出器。
【請求項２】
請求項１において、吸水性物質２は水分検出センサ−３を取り付けるに、センサ−３を挿入する構造とし、あらかじめ吸水性物質２に挿入し易い部分を設けて容易に着脱できるようにして、一回の水分検出ごとに吸水性物質２から検出センサ−３を容易に外せるようにした水分検出器。
【請求項３】
請求項１において、水分検出器のセンサ−３が濡れを検出した後、一定量一定時間電流を流すことにより検出部を乾燥させる機構にした水分検出器。
【考案の詳細な説明】
【考案の詳細な説明】
【考案が解決しようとする課題】
【０００１】  従来から使用されてきた水分検出器は、検出部のセンサ−が直接検出箇所に接するため、ごく少量の水分にも反応することで、例えば水分検出を介護や幼児のおむつなどに利用すると、人体の汗等のごく微量の水分にも反応してしまうことがあった。また人体の排尿排便などの水分を検出するには水分検出器の検出部のセンサ−は、おむつなどと一緒に破棄する機構のものが多かった。
【課題を解決するための手段】
【０００２】  上記課題を解決するために、本考案では、吸水性の物質２を粘着性の材料６を塗布したテ−プ５に張り付け、おむつ１などの水分検出必要箇所部分に張り付けて容易に位置できるようにし、この物質に水分検出センサ−３を挿入する構造とすることで、水分検出センサ−は一定以上の水分に反応するようにし、かつ両者間を容易に着脱出来るようにしたことで、水分を検出した後一回の水分検出ごとに吸水性物質からセンサ−を抜き取り、水分検出センサ−３のみを洗浄し再使用できるようにし、吸水性物質は張りつけた粘着性テ−プごとおむつなどと共に破棄できる構造とした。  また、水分検出センサ−部分は洗浄後や他の目的、例えば雨水検出などに使用した場合、水分検出後にセンサ−に電流を流すことで乾燥させるようにし、自動的に次の検出の準備に移行できるようにした。
【考案の効果】
【０００３】  本考案により、水分検出器の検出部センサ−は検出箇所に吸水性物質に覆われる状態で位置されるので、ごく少量の水分には反応せず、おむつの汚れ検出の場合のように一定量の水分のみ検出できる。  また、水分検出必要箇所に粘着テ−プなどで容易に位置できる事と、センサ−部が容易に着脱できる構造としたことで、吸水性物質および粘着テ−プ部分のみ破棄してセンサ−のみ洗浄できるようようになった。  したがって、従来の水分検出部分のようにセンサ−ごと破棄することがなく、価格的にも効果がある。
【図面の簡単な説明】
【０００４】
【図１】  粘着テ−プに吸水性物質を張り付けその内部に水分検出センサ−を挿入し、おむつなど人体に接する面に装着した断面図である。
【図２】  紙おむつの内部に吸水性物質を埋め込み、これに水分検出センサ−を挿入しその部分と電線を粘着テ−プで覆った断面図である。
【符号の説明】
【０００５】１  おむつなど、人体に接する紙または布の繊維体
２  吸水性の物質
３  水分検出センサ−
４  同電線
５  一般にテ−プなどの柔軟性の薄板
６  テ−プに塗布した粘着性材料
【図１】
0003114517.tif 000003
【図２】
0003114517.tif 000004
(57)【要約】      （修正有）【課題】  従来の蒸気を利用してのスキンケアーは，美容専門店に行ったり，電気を使って蒸気を噴霧させる美容器具を使用するなど，費用や時間の負担が大きく，一般的でないという欠点がある。【解決手段】フード付きハットは，頭部に装着して，湯舟に浸かり，フード１内に入ってくる湯気を，集中的に浴びることにより，毛穴が開き，洗顔だけでは落としきれない毛穴の奥の汚れを，落としやすくするために用いられるものである。フード付きハットに空気孔４を設け，ひさしの先端部３の周囲に沿ってフード１を取り付けたものである。【選択図】図１
0003114511.tif 000002
【実用新案登録請求の範囲】
【請求項１】
ひさしの先端部の周囲に沿って，フードを取り付けることを特徴とするスキンケアーのために使うフード付きハット。
【請求項２】
空気孔を設けたスキンケアーのために使うフード付きハット。
【考案の詳細な説明】
【技術分野】
【００１】  本考案は，フードで顔の前面を覆い，湯舟から上がってくる湯気を利用して，毛穴の汚れを落としやすくするスキンケアーに関するものである。
【背景技術】
【００２】  従来は，本考案と目的を同じくする方法として，美容専門店に行ったり，電気を使って蒸気を噴霧させる美容器具を使用するなど大がかりなものが多い。
【考案の開示】
【考案が解決しようとする課題】
【００３】  しかし、上述の方法は費用や時間の負担が大きく，一般的でないという欠点がある。
本考案はこれらの欠点を解決するためになされたものである。
【課題を解決する手段】
【００４】  本考案は頭部に装着して
【図１】
湯舟に浸かり，フード内に入ってくる湯気を集中的に浴びることにより，毛穴が開き，洗顔だけでは落としきれない，毛穴の奥の汚れを落としやすくするために用いられるものである。
【００５】  本考案に空気孔を設け，ひさしの先端部の周囲に沿って，フードを取り付けたもので，上述の課題を解決するために形成したものである。
【図２】
【００６】  本考案は湯舟で使用することから，水に強く，水を通しにくく，乾燥しやすい材質の物で形成する。
【００７】  フードは上げ下ろしが楽にできるように軽くて柔らかめの材質の物を用い，フードの外部が見える透明に近い物が望ましい。
【考案の効果】
【００８】  本考案を装着して湯舟に浸かることにより，湯気をフード内に集中的に入れることができ，短時間で効果が得られる。
顔面に湯気を浴びることにより，顔面の毛穴が開き，洗顔だけでは落としきれない毛穴の奥の汚れを落しやすくし，その結果，毛穴の汚れが原因の１つとなっている肌のくすみ，シミ，乾燥等の予防効果を得る他，肌荒れや吹き出物の予防効果も得られる。
また，洗顔後のパックや美容液の浸透力を助け，化粧のノリも良くする。
本考案を装着したまま，クレンジングやマッサージができ，一層汚れを落としやすくする。
最近は，男性もスキンケアーに関心がある傾向にあるが，本考案なら誰にも悟られず使用が可能である。
以上の効果は，いずれも家庭の湯舟で簡単に得られ，費用や時間を掛けるという従来の欠点を解決する。
【考案を実地するための最良の形態】
【００９】  本考案は，顔面Ｇとフード１の間に空間を持たせるため，前頭部にひさし２のあるハット１０を用い，ひさしの先端部３の周囲に沿ってフード１を取り付ける。
【図１】
【０１０】  フード１の大きさは，ひさしの先端部３に沿った周囲の径と，ひさしの先端部３から湯舟の水面Ｓより，若干長めの径に応じて決めれば良い。
【図２】
【０１１】  ハット１０とフード１は水分に強く，水を通しにくく，乾きやすい材質の物で形成する。
【０１２】  フード１は，上げ下ろしが楽にできるよう軽くて，柔らかめの材質を用い，フード１の外部が見える透明に近い物が望ましい。
【０１３】  本考案に空気孔４を設ける。
【図面の簡単な説明】
【０１４】
【図１】  本考案に係わるフード付きハットを頭部に装着した側面図である。
【図２】  本考案に係わるフード付きハットの正面図である。
【符号の説明】
【０１５】１    フード
２    ひさし
３    ひさしの先端部
４    空気孔
１０  ハット
Ｇ    顔面
Ｓ    水面
【図１】
0003114511.tif 000003
【図２】
0003114511.tif 000004
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
ひさしの先端部の周囲に沿って，フードを取り付けることを特徴とするスキンケアーのために使うフード付きハット。
【請求項２】
ひさしに空気孔を設けたスキンケアーのために使う請求項１記載のフード付きハット。